(57)【特許請求の範囲】
【請求項１】
断路器と接地装置の機能を合わせ持つ開閉器本体の可動端子に駆動源からの駆動力を伝達する主軸を一つの操作機構により入、切、接地という三つの位置状態に操作可能な開閉器の操作装置において、
前記操作機構が入状態から切状態に動作する終了位置に達すると前記主軸を固定してその動作を拘束する断路器切側ストッパー機構と、前記操作機構が接地状態から切状態に動作する終了位置に達すると前記主軸を固定してその動作を拘束する接地装置切側ストッパー機構と、前記断路器切側ストッパー機構及び接地装置切側ストッパー機構にそれぞれ対応させて設けられ励磁により前記断路器切側ストッパー機構及び前記接地装置切側ストッパー機構を動作させて前記主軸の固定を解除するソレノイドコイルと、前記断路器切側ストッパー機構及び接地装置切側ストッパー機構に対応させてそれぞれ設けられ前記ストッパー機構の動作により前記主軸の固定が解除されると動作して閉じる接点を備えたＣ接点付リミットスイッチと、前記ソレノイドコイルが励磁されると前記ストッパー機構を動作させて前記主軸の固定を解除する制御手段と、前記ストッパー機構の動作により前記Ｃ接点付きリミットスイッチが動作して接点が閉じると前記駆動源により前記操作機構を動作させて前記開閉器本体を入、切又は接地位置に動作させる駆動機構制御手段とを備えたことを特徴とする開閉器の操作装置。
【請求項２】
請求項１記載の開閉器の操作装置において、前記断路器切側ストッパー機構に対応させて設けられるＣ接点付リミットスイッチを接地装置側の手動操作インターロック手段及び駆動機構制御手段に直列に設け、接地装置切側ストッパー機構に対応させて設けられるＣ接点付リミットスイッチを断路器側の手動操作インターロック手段及び駆動機構制御手段に直列に設けたことを特徴とする開閉器の操作装置。
【請求項３】
請求項１記載の開閉器の操作装置において、前記断路器切側ストッパー機構に対応させて設けられるＣ接点付リミットスイッチを接地装置側の手動操作インターロック手段に直列に設け、接地装置切側ストッパー機構に対応させて設けられるＣ接点付リミットスイッチを断路器側の手動操作インターロック手段に直列に設けたことを特徴とする開閉器の操作装置。
【請求項４】
断路器と接地装置の機能を合わせ持つ開閉器本体の可動端子に駆動源からの駆動力を伝達する主軸を一つの操作機構により入、切、接地という三つの位置状態に操作する開閉器の操作装置において、
前記操作機構が入状態から切状態に動作する終了位置に達すると前記主軸を固定してその動作を拘束する断路器切側ストッパー機構と、前記操作機構が接地状態から切状態に動作する終了位置に達すると前記主軸を固定してその動作を拘束する接地装置切側ストッパー機構と、前記断路器切側ストッパー機構及び接地装置切側ストッパー機構にそれぞれ対応させて設けられ励磁により接点を動作させると共にその接点駆動力により前記断路器切側ストッパー機構及び前記接地装置切側ストッパー機構を動作させて前記主軸の固定を解除するリレーと、前記指令により前記リレーが励磁されると前記ストッパー機構を動作させて前記主軸の固定を解除する制御手段と、前記ストッパー機構の動作により前記リレー接点が閉じると前記駆動源により前記操作機構を動作させて前記開閉器本体を入、切又は接地位置へ動作させる駆動機構制御手段とを備えたことを特徴とする開閉器の操作装置。
【発明の詳細な説明】
【０００１】
【発明の属する技術分野】
本発明は、開閉器の操作機構、特に断路器と接地装置の機能を合わせ持ち、入(閉)、切(開)、接地という三つの位置状態の操作を一つの操作機構で行う開閉器の操作装置に関するものである。
【０００２】
【従来の技術】
従来、開閉器の操作装置としては、断路器と設置装置の機能を併せ持ち、入、切、接地という三つの位置状態の操作を一つの操作機構で行うようにしたものがある。
【０００３】
図８（ａ），（ｂ）は、かかる従来の三位置開閉器の電動操作機構の制御回路図であり、（イ）は断路器の機能を実現する制御する回路、（ロ）は接地装置の機能を実現する制御回路、（ハ）は後述する断路器側のキャッチレバーとラッチピンとの係合を外したりするモータ制御回路／キャッチ引外し回路、（ニ）は接地装置側のキャッチレバーとラッチピンとの係合を外したりするモータ制御回路／キャッチ引外し回路、（ホ）は電動機を駆動するモータ回路である。
【０００４】
このうち、図８（ａ）の（イ）に示した断路器制御回路は入操作リレー３２ａと切操作リレー３３ａとを備えている。入操作リレー３２ａの一端には切操作リレーの接点３５ｃ（常閉）を介して操作開始信号が加えられ、さらに自己保持用の入操作リレー接点（常開）３４ａを介して正側電源Ｐに接続されている（以下、常開接点を単に接点と称し、（常閉）を付加することとする）。また、切操作リレー３３ａの一端には入操作リレー接点３４ｃ（常閉）を介して切操作信号が加えられ、さらに、自己保持用切操作リレー接点３５ａを介して正側電源Ｐに接続されている。入操作リレー３２ａの他端は入終了指令リミットスイッチ（常閉）３０ａを介し、切操作リレー３３ａの他端は切終了指令リミットスイッチ３１ａを介して共通に接続され、さらに断路器のシャッター連動リミットスイッチ７７ａおよび接地装置誤操作防止用のトリップコイル制御用リレー接点（常閉）３７ｄ（ＣＣＥＸ）を介して負側電源Ｎに接続されている。
【０００５】
図８（ｂ）の（ロ）に示した接地装置制御回路は入操作リレー３２ｂと切操作リレー３３ｂとを備えている。入操作リレー３２ｂの一端には切操作リレー接点３５ｄ（常閉）を介して操作開始信号が加えられ、さらに、自己保持用の入操作リレー接点３４ｂを介して正側電源Ｐに接続されている。また、切操作コイル３３ｂの一端には入操作リレー接点３４ｄ（常閉）を介して切操作信号が加えられ、さらに、自己保持用の切操作リレー接点３５ｂを介して正側電源Ｐに接続されている。入操作リレー３２ｂの他端は入終了指令リミットスイッチ（常閉）３０ｂを介し、切操作リレー３３ｂの他端は切終了指令リミットスイッチ３１ｂを介して共通に接続され、さらに接地装置のシャッター連動リミットスイッチ７７ｂおよび断路器誤操作防止用のトリップコイル制御用リレー接点（常閉）３７ｃ（ＣＣＤＸ）を介して負側電源Ｎに接続されている。
【０００６】
図８（ａ）の（ハ）に示す断路器側モータ制御回路／キャッチ引外し回路は、入操作リレー接点３４ｅと切操作リレー用接点３５ｅとが並列接続され、その一端が正側電源Ｐに接続され、その他端がトリップコイル制御用リレー３６ａを介して負側電源Ｎに接続されている。トリップコイル２５ａの一端はトリップコイル制御用リレー接点３７ａを介して正側電源Ｐに接続され、他端が負側電源Ｎに接続されている。また、断路器側入操作リレー接点３４ｇと断路器側ラッチピン連動リミットスイッチ２７ａが直接接続されたものと、接地装置側切操作リレー接点３５ｈと接地装置側ラッチピン連動リミットスイッチ２７ｄが直列接続されたものが並列接続され、その一端が正側電源Ｐに接続され、その他端がモータ正方向回転用リレー３８を介して負側電源Ｎに接続されている。
【０００７】
図８（ｂ）の（ニ）に示す接地装置側モータ制御回路／キャッチ引外し回路は、入操作リレー接点３４ｆと切操作リレー接点３５ｆとが並列接続され、その一端が正側電源Ｐに接続され、その他端がトリップコイル制御用リレー３６ｂを介して負側電源Ｎに接続されている。トリップコイル２５ｂは、その一端がトリップコイル制御用リレー接点３７ｂを介して正側電源Ｐに接続され、他端が負荷電源Ｎに接続されている。また、接地装置側入操作リレー接点３４ｈと接地装置側ラッチピン連動リミットスイッチ２７ｂが直列接続されたものと、断路器側切操作リレー接点３５ｇと断路器側ラッチピン連動リミットスイッチ２７ｃが直列接続されたものが並列接続され、その一端が正側電源Ｐに接続され、その他端がモータ逆方向回転リレー３９を介して負側電源Ｎに接続されている。
【０００８】
図８（ａ）の（ホ）に示したモータ回路は、電動機１の一端がモータ正方向回転リレー接点４０ａを介して正側電源ＰＭに接続されると共に、モータ逆方向回転リレー接点４１ｂを介して負側電源ＮＭに接続されている。電動機１の他端がモータ逆方向回転リレー接点４１ａを介して正側電源ＰＭに接続されると共に、モータ正方向回転リレー接点４０ｂを介して負側電源ＮＭに接続されている。
【０００９】
図９は、従来の三位置開閉器の電動操作機構を示す概略構成図である。
【００１０】
図９において、１は電動機、１３はこの電動機１に結合された操作軸で、この操作軸１３にはウォームギヤ１４が装着されている。
【００１１】
また、１５は軸芯が操作軸１３と直交するように配設されるとともに回動可能に支持された主軸で、この主軸１５は図示しない断路器と接地装置の機能を併せ持つ開閉器の可動端子に連結されている。この主軸１５にはウォームホイール１６が装着され、このウォームホイール１６と操作軸１３に装着されたウォームギヤ１４とを噛合させて、操作軸１３の回転が主軸１５に伝達可能にしてある。
【００１２】
主軸１５には円盤状の保持部材１７Ｄがウォームホイール１６から見て軸方向の互いに反対側に装着されている。保持部材１７Ｄはウォームホイール１６よりも大きな直径を有し、その縁端部には軸方向に突出するローラ状の突起部１７が設けられている。また、主軸１５から見て保持部材１７Ｄの外側に当たる距離の等しい部位に主軸１５とは軸芯が平行な一対のキャッチ軸１８ａ、１８ｂが相互に離隔して図示しないフレーム等に固定されている。すなわち、キャッチ軸１８ａと１８ｂとは互いに平行で所定の間隔を保つように固定される。
【００１３】
これらのキャッチ軸１８ａと１８ｂには、先端面を互いに対向させて相互間に突起物１７を介在させ得るキャッチレバー１９ａ、１９ｂがそれぞれ傾動可能に支持されている。また、キャッチ軸１８ａ、１８ｂの外側にはキャッチレバー１９ａ、１９ｂの後端部の傾きを制限するストッパー２２ａ，２２ｂが設けられている。さらに、キャッチ軸１８ａ、１８ｂにはそれぞれねじりばね２１ａ、２１ｂが巻きかけられ、キャッチレバー１９ａ、１９ｂの後端部をそれぞれストッパーに所定の圧力で当接させている。これによって、キャッチレバー１９ａ、１９ｂの先端部は互いに対向し、それぞれ突起物１７が所定の圧力で接触したとき、主軸１５から見て径方向外側に待避可能にしてある。
【００１４】
なお、キャッチレバー１９ａ、１９ｂの先端部のうち、突起物１７に対向する角部、すなわち図面の上方の角部は円弧面に形成され、図面の下方の角部は嘴状になっている。
【００１５】
キャッチレバー１９ａ、１９ｂの各先端部の待避を可能とする位置には、キャッチ軸１８ａ、１８ｂとは軸芯を平行にして回動可能に支持されたラッチピン２０ａ、２０ｂが設けられている。このラッチピン２０ａ、２０ｂの軸方向の一部、すなわちキャッチレバー１９ａ、１９ｂの各先端部が下方に待避させられる部位が、半月状に切欠かれている。これらの半月状部はその外側面が互いに背中合わせになるとともに半月状部の上縁端がキャッチレバー１９ａ、１９ｂの嘴状の角部と重なる位置で、かつ、ねじりばね２２ａ、２２ｂによって一方向への回転が可能に保持されている。この場合、ラッチピン２０ａ、２０ｂはそれぞれ横方向外側に突出するラッチレバー２４ａ、２４ｂを有している。
【００１６】
これらのラッチレバー２４ａ、２４ｂの先端部は、トリップコイル２５ａ、２５ｂの励磁状態に応じて上下に移動するプランジャー２６ａ、２６ｂの先端に当接し、ねじりばね２２ａ、２２ｂはその状態を保持するようにラッチレバー２４ａ、２４ｂに圧縮力を作用させている。
【００１７】
従って、プランジャ−２６ａを上に押し上げるとラッチピン２０ａは反時計方向に回転し、キャッチレバー１９ａの先端が図示した位置から下方に退避することが可能になる。同様にプランジャー２６ｂを上に押し上げると、ラッチピン２０ｂは時計方向に回転し、キャッチレバー１９ｂの先端が図示した位置から下方に退避することが可能になる。
【００１８】
一方、主軸１５から見てラッチピン２０ａ、２０ｂとは反対側で、図中の中央部から僅かに左に偏った位置に突起物１７を当接させて、主軸１５が１回転することを阻止するストッパブロック２３がフレーム等に固定されている。
【００１９】
また、ウォームギヤ１４が装着された操作軸１３の先端部には、手動操作ハンドルを挿し込んで主軸１５を回転させる手動操作軸２８ａが形成され、トリップコイル２５ｂの外側にもう一つの手動操作軸２８ｂが設けられ、これらの手動操作軸２８ａ、２８ｂはチェーン等の動力伝達手段２８ｃによって回転力が伝達可能に結合されている。
【００２０】
この場合、手動操作軸２８ａに対してプランジャー２６ａが略平行になるようにトリップコイル２５ａが取付けられ、同様に手動操作軸２８ｂに対してプランジャー２６ｂが略平行になるようにトリップコイル２５ｂが取付けられている。
【００２１】
また、手動操作軸２８ａ、２８ｂの正面にはインターロック条件により手動操作が可能な時のみ手動操作軸２８ａ、２８ｂが見える状態まで動作できるようなシャッター板７６ａ、７６ｂが設けられている。このシャッター板７６ａ、７６ｂには、手動操作が可能な状態まで動作させることによってプランジャー２６ａ、２６ｂが励磁された状態まで押すことのできるカム８１ａ、８１ｂが取付けられている。
【００２２】
また、ラッチピン２０ａ、２０ｂが完全に動作した後で、電動機１が回転できるようにラッチピン連動リミットスイッチ２７ａ（断路器入用）、２７ｂ（接地入用）、２７ｃ（断路器切用）、２７ｄ（接地切用）が取付けられている。
【００２３】
図１０は遠方からの指令によって、断路器が「切」の位置から「入」の位置へ動作する状態を示している。‘入’操作指令が入ると、入操作指令リレー接点３４ｇおよびトリップコイル制御用リレー接点３７ａが閉じ、トリップコイル２５ａが励磁されることによりプランジャー２６ａを押込み、ラッチレバー２４ａを押動させることによりラッチピン２０ａが反時計方向に回転する。これによって、ラッチピン２０ａとキャッチレバー１９ａとの係合が外れてキャッチレバー１９ａがキャッチ軸１８ａを中心にして自由に動けるようになり、主軸１５が反時計回りに回転させることができ、断路器入操作が行える。
【００２４】
このときラッチピン２０ａの回転によりラッチピン連動リミットスイッチ２７ａが動作し、開いていた接点が閉じてモータ正方向回転リレー３８に電流が流れる。これによって、ラッチピン２０ａとキャッチレバー１９ａとの係合が外れてキャッチレバー１９ａがキャッチ軸１８ａを中心にして自由に動けるようになり、主軸１５が反時計回りに回転させることができ、断路器‘入’状態になるまで電動機１が回転する。
【００２５】
図１１は遠方からの指令によって断路器が「入」の位置から「切」の位置へ動作する状態を示している。‘切’操作指令が入ると、切操作リレー接点３５ｇおよびトリップコイル制御用リレー接点３７ａが閉じ、トリップコイル２５ａが励磁される。これによりプランジャー２６ａを押込み、ラッチレバー２４ａを押動することで、ラッチピン２０ａが反時計方向に回転する。
【００２６】
このとき、ラッチピン２０ａの回転によりラッチピン連動リミットスイッチ２７ｂが動作して、開いていた接点が閉じてモータ逆方向回転リレー３９に電流が流れる。これによって、ラッチピン２０ａとキャッチレバー１９ａとの係合が外れてキャッチレバー１９ａがキャッチ軸１８ａを中心にして自由に動けるようになり、主軸１５が時計回りに回転させることができ、断路器が‘入’状態になるまで電動機が回転する。
【００２７】
【発明が解決しようとする課題】
以上の説明は、断路器と接地装置の機能を併せ持ち、入（閉）、切（開）、接地という三つの位置状態の操作を一つの操作装置で行う三位置開閉器の操作機構であるが、かかる開閉器の操作装置では、以下のような問題点がある。
【００２８】
（１）リミットスイッチの数が多く（断路器側のラッチピン連動リミットスイッチ２７ａ，２７ｄと、接地装置側のラッチピン連動リミットスイッチ２７ｂ，２７ｃの各２個ずつ）、機器の縮小化を図る上で妨げになると共に、保守点検時には作業性の低下の原因となる。
【００２９】
（２）手動で断路器‘切’操作時に誤ってストッパーが完全にかからない位置で終了してしまった場合、次に手動で接地‘入’操作を行おうとして誤って反対方向、つまり接地切方向にハンドルを回してしまうと、断路器側を投入してしまう恐れがある。これは接地装置、断路器が逆の場合も同様である。
【００３０】
（３）手動ハンドルで勢いよく断路器ストッパーに押し付けて操作を終了し、誤って接地装置のシャッターを開いてストッパーを解除だけして元に戻してしまうと、次に手動で断路器‘入’操作を行おうとして誤って反対方向、つまり接地切方向にハンドルを回してしまう恐れがある。これは接地装置、断路器が逆の場合も同様である。
【００３１】
本発明は上記のような問題点を解消し、三つの位置状態を持つ接点の操作を一つの操作機構で自動操作及び手動操作できる簡略で信頼性の高い開閉器の操作装置を提供することを目的とする。
【００３２】
【課題を解決するための手段】
本発明は上記の目的を達成するため、次のような手段により開閉器の操作装置を構成する。
【００３３】
請求項１に対応する発明は、断路器と接地装置の機能を合わせ持つ開閉器本体の可動端子に駆動源からの駆動力を伝達する主軸を一つの操作機構により入、切、接地という三つの位置状態に操作可能な開閉器の操作装置において、前記操作機構が入状態から切状態に動作する終了位置に達すると前記主軸を固定してその動作を拘束する断路器切側ストッパー機構と、前記操作機構が接地状態から切状態に動作する終了位置に達すると前記主軸を固定してその動作を拘束する接地装置切側ストッパー機構と、前記断路器切側ストッパー機構及び接地装置切側ストッパー機構にそれぞれ対応させて設けられ励磁により前記断路器切側ストッパー機構及び前記接地装置切側ストッパー機構を動作させて前記主軸の固定を解除するソレノイドコイルと、前記断路器切側ストッパー機構及び接地装置切側ストッパー機構に対応させてそれぞれ設けられ前記ストッパー機構の動作により前記主軸の固定が解除されると動作して閉じる接点を備えたＣ接点付リミットスイッチと、前記ソレノイドコイルが励磁されると前記ストッパー機構を動作させて前記主軸の固定を解除する制御手段と、前記ストッパー機構の動作により前記Ｃ接点付きリミットスイッチが動作して接点が閉じると前記駆動源により前記操作機構を動作させて前記開閉器本体を入、切又は接地位置に動作させる駆動機構制御手段とを備える。
【００３４】
このような構成とすれば、Ｃ接点リミットスイッチを用いることにより、従来４個のストッパー連動リミットスイッチが２個ですみ、操作装置のスペースおよび点検等でのチェックすべき個所の削減を図ることができる。
【００３５】
請求項２に対応する発明は、請求項１に対応する発明の開閉器の操作機構において、前記断路器切側ストッパー機構に対応させて設けられるＣ接点付リミットスイッチを接地装置側の手動操作インターロック手段及び駆動機構制御手段に直列に設け、接地装置切側ストッパー機構に対応させて設けられるＣ接点付リミットスイッチを断路器側の手動操作インターロック手段及び駆動機構制御手段に直列に設ける。
【００３６】
このような構成とすれば、断路器を切操作したが、ストッパーが確実にかかっていない状態、つまり完全に動作が完了していない状態のときにはもう一方の接地装置の制御回路に流れる信号を遮断するため、手動操作、遠方操作がともに行うことができなくなり、誤動作を起こす恐れが全くなくなる。
【００３７】
請求項３に対応する発明は、請求項１に対応する発明の開閉器の操作機構において、前記断路器切側ストッパー機構に対応させて設けられるＣ接点付リミットスイッチを接地装置側の手動操作インターロック手段に直列に設け、接地装置切側ストッパー機構に対応させて設けられるＣ接点付リミットスイッチを断路器側の手動操作インターロック手段に直列に設ける。
【００３８】
このような構成とすれば、断路器を切操作したが、ストッパーが確実にかかっていない状態、つまり完全に動作が完了していない状態のときにはもう一方の接地装置の制御回路に流れる信号を遮断するため、手動操作のみ行うことができなくなる。このため、接地装置投入の手動操作時に断路器側のストッパーを解除して誤動作を起こす恐れがなくなる。
【００３９】
請求項４に対応する発明は、断路器と接地装置の機能を合わせ持つ開閉器本体の可動端子に駆動源からの駆動力を伝達する主軸を一つの操作機構により入、切、接地という三つの位置状態に操作する開閉器の操作装置において、前記操作機構が入状態から切状態に動作する終了位置に達すると前記主軸を固定してその動作を拘束する断路器切側ストッパー機構と、前記操作機構が接地状態から切状態に動作する終了位置に達すると前記主軸を固定してその動作を拘束する接地装置切側ストッパー機構と、前記断路器切側ストッパー機構及び接地装置切側ストッパー機構にそれぞれ対応させて設けられ励磁により接点を動作させると共にその接点駆動力により前記断路器切側ストッパー機構及び前記接地装置切側ストッパー機構を動作させて前記主軸の固定を解除するリレーと、前記指令により前記リレーが励磁されると前記ストッパー機構を動作させて前記主軸の固定を解除する制御手段と、前記ストッパー機構の動作により前記リレー接点が閉じると前記駆動源により前記操作機構を動作させて前記開閉器本体を入、切又は接地位置へ動作させる駆動機構制御手段とを備える。
【００４０】
このような構成とすれば、電装品の部品点数を削減することができ、スペースの削減を図ることができる。
【００４１】
【発明の実施の形態】
以下本発明の実施の形態を図面を参照して説明する。
【００４２】
図１は本発明による開閉器の操作装置の第１の実施の形態を示す制御回路図で、図８と同一部分には同一符号を付してその説明を省略し、ここでは異なる点についてのみ述べる。
【００４３】
図８と異なる点は、図１（ａ）の（ハ）に示す断路器側モータ制御回路／キャッチ引外し回路において、リミットスイッチ２７ａ，２７ｄの代りに、ラッチピン２０ａが回転すると開く接点２７ｊと閉じる接点２７ｇを有する連動リミットスイッチ２７Ａを設け、また図１（ｂ）の（ニ）に示す接地装置側モータ制御回路／キャッチ引外し回路において、リミットスイッチ２７ｂ，２７ｃの代りに、ラッチピン２０ａが回転すると開く接点２７ｈと閉じる接点２７ｉを有する連動リミットスイッチ２７Ｂを設けている。
【００４４】
図２は同実施の形態の位置開閉器の電動操作機構を示す構成図で、図９と同一部分には同一符号を付してその説明を省略し、ここでは異なる点についてのみ述べる。
【００４５】
図９では４個のラッチピン連動リミットスイッチ２７ａ（断路器入用）、２７ｂ（接地入用）、２７ｃ（断路器切用）、２７ｄ（接地切用）を設けていたが、図２においては反転動作の接点を有する２個のラッチピン連動リミットスイッチ２７Ａ，２７Ｂを設ける構成とするものである。
【００４６】
次に上記のように構成された開閉器の操作装置の作用を述べる。
【００４７】
図３（ａ），（ｂ）は遠方からの指令によって、断路器「切」の位置から「入」の位置へ動作する状態の機構と制御回路を示している。‘入’操作指令が入ると、入操作指令リレー接点３４ｇおよびトリップコイル制御用リレー接点３７ａが閉じ、トリップコイル２５ａが励磁されることによりプランジャー２６ａを押込み、ラッチレバー２４ａを押動することによりラッチピン２０ａが反時計方向に回転する。これによって、ラッチピン２０ａとキャッチレバー１９ａとの係合が外れてキャッチレバー１９ａがキャッチ軸１８ａを中心にして自由に動けるようになり、主軸１５がフリーになる。
【００４８】
このときラッチピン２０ａの回転によりラッチピン連動リミットスイッチ２７Ａが動作して、開いていた接点２７ｇが閉じてモータ正方向回転リレー３８に電流が流れる。これにより主軸１５が反時計回り、つまり断路器‘入’状態になる方向に電動機が回転する。
【００４９】
図４（ａ），（ｂ）は遠方からの指令によって断路器「入」の位置から「切」の位置へ動作する状態の機構と制御回路を示している。‘切’操作指令が入ると、切操作リレー接点３５ｇおよびトリップコイル制御用リレー接点３７ａが閉じ、トリップコイル２５ａが励磁されることによりプランジャー２６ａを押込み、ラッチレバー２４ａを押動することによりラッチピン２０ａが反時計方向に回転する。これによって、ラッチピン２０ａとキャッチレバー１９ａとの係合が外れてキャッチレバー１９ａがキャッチ軸１８ａを中心にして自由に動けるようになり、断路器切操作が行える。
【００５０】
このとき、ラッチピン２０ａの動作とは関係ない接地装置側のラッチピン連動リミットスイッチ２７Ｂの閉じている接点２７ｉを通してモータ逆方向回転リレー３９に電流が流れる。これにより主軸１５が時計回り、つまり断路器‘入’状態になる方向に電動機が回転する。
【００５１】
以上は断路器側の作用であるが、接地装置側の作用についても同様なので、ここではその説明を省略する。
【００５２】
このようにラッチピン連動リミットスイッチをＣ接点として運用することによって、従来では４個のリミットスイッチを必要としていたが、２個のリミットスイッチで従来と同様の機能を持たせることができ、スペースの節約および点検個所の削減を図ることができる。
【００５３】
図５（ａ），（ｂ）は、本発明による開閉器の操作装置の第２の実施の形態を示す構成図及び制御回路図で、図１及び図２と同一部分には同一符号を付してその説明を省略し、ここでは異なる点についてのみ述べる。
【００５４】
第２の実施の形態では、図２に示すストッパーを解除する断路器側、接地装置側各１個ずつのソレノイドコイル２５ａ，２５ｂに代えて、図５（ａ）に示すようにリレー４３ａ、４３ｂを配置したものである。
【００５５】
また、図５（ｂ）に示すように断路器側のキャッチレバー１９ａとラッチピン２０ａとの係合を外したりするモータ制御回路／キャッチ引外し回路においては、リレー４３ａの接点４３ｇ，４３ｊを図１の接点２７ｇ，２７ｊに代えて接続し、同様に接地装置側のキャッチレバー１９ｂとラッチピン２０ｂとの係合を外したりするモータ制御回路／キャッチ引外し回路においては、リレー４３ｂの接点４３ｈ，４３ｉを図１の接点２７ｉ，２７ｈに代えて接続する。
【００５６】
このような構成においては、リレー接点４３ｇ，４３ｊ，４３ｉ，４３ｈを動作させるコイルの力を用いてラッチピン２０a，２０ｂを回転させ、ストッパーを解除することができる。
【００５７】
従って、電装品の部品点数を削減することができるので、スペースの削減を図ることができる。
【００５８】
図６は、本発明による開閉器の操作装置の第３の実施の形態を示す制御回路図及び操作機構の構成図で、図１及び図２と同一部分には同一符号を付してその説明を省略し、ここでは異なる点についてのみ述べる。
【００５９】
第３の実施の形態では、図１（ｂ）の（ロ）に示す並列に配線された接地装置側シャッタ―連動リミットスイッチ７７ｂ及びインターロックコイル８４ｂとの接続点と、トリップコイル制御用リレー接点３７ｃとの間に、図６（ａ）の（ロ）に示すように断路器側ラッチピン連動リミットスイッチ２７ｅ（常閉）を接続し、また断路器側制御回路（イ）に示すように並列に配線された断路器側シャッター連動リミットスイッチ７７ａ及びインターロックコイル８４ａとの接続点と、トリップコイル制御用リレー接点３７ｄとの間に、接地装置側ラッチピン連動リミットスイッチ２７ｆを接続したものである。
【００６０】
このような構成によれば、手動で断路器‘切‘操作時に誤ってストッパーが完全にかからない位置で終了してしまったり、手動ハンドルで一気に断路器ストッパーに押し付けて操作を終了した後、誤って接地装置のシャッターを開いて戻し、次に手動で断路器’入‘操作を行おうとしても、もう一方の機器（接地装置）の制御回路に流れる信号をすべて遮断するため、手動操作、遠方操作が共に行うことができないので、誤動作を起こす恐れが全くなくなる。
【００６１】
これにより、手動操作により‘切’操作を確実に終えないと３位置の反対側の機器が操作できないため、誤った操作を行うことができなくなり、操作上での安全性を高めることができる。
【００６２】
図７は、本発明による開閉器の操作装置の第４の実施の形態を示す制御回路図及び概略構成図で、図１及び図２と同一部分には同一符号を付してその説明を省略し、ここでは異なる点についてのみ述べる。
【００６３】
第４の実施の形態では、図７（ａ）の接地装置側制御回路（ロ）に示すようにインターロックコイル８４ｂと、トリップコイル制御用リレー接点３７ｃとの間に、断路器側ラッチピン連動リミットスイッチ２７ｅ（常閉）を接続し、また断路器側制御回路（イ）に示すようにインターロックコイル８４ａと、トリップコイル制御用リレー接点３７ｄとの間に接地装置側ラッチピン連動リミットスイッチ２７ｆ（常閉）を接続したものである。
【００６４】
また、図７（ｂ）に示す操作機構部においても、これら断路器側ラッチピン連動リミットスイッチ２７ｅ、接地装置側ラッチピン連動リミットスイッチ２７ｆを図２のＣ接点付きリミットスイッチ２７Ａ，２７Ｂに代えて設ける。
【００６５】
このような構成とすれば、手動で断路器‘切’操作時に誤ってストッパーが完全にかからない位置で終了したり、手動ハンドルで一気に断路器ストッパーに押し付けて操作を終了した後、誤って接地装置のシャッターを開いて戻し、次に手動で断路器‘入’操作を行おうとしても、もう一方の機器（接地装置）のインターロック回路に流れる信号を遮断するため、手動操作、遠方操作が共に行うことができず、誤動作を起こす恐れが全くなくなる。
【００６６】
これにより、手動操作により‘切’操作を確実に終えないと３位置の反対側の機器が操作できないため、誤った操作を行うことができなくなり、操作上での安全性を高めることができる。
【００６７】
【発明の効果】
以上述べたように本発明によれば、三つの位置状態を持つ接点の操作を一つの操作機構で自動操作及び手動操作できる簡略で信頼性の高い開閉器の操作装置を提供することができる。
【図面の簡単な説明】
【図１】本発明による開閉器の操作装置の第１の実施の形態を示す制御回路図。
【図２】同実施の形態を示す操作機構の構成図。
【図３】同実施の形態において、遠方からの指令によって断路器「切」の位置から「入」の位置へ動作する状態を示し、（ａ）は操作機構の構成図、（ｂ）は制御回路図。
【図４】同実施の形態において、遠方からの指令によって断路器「入」の位置から「切」の位置へ動作する状態を示し、（ａ）は操作機構の構成図、（ｂ）は制御回路図。
【図５】本発明による開閉器の操作装置の第２の実施の形態を示し、（ａ）は操作機構を示す構成図、（ｂ）は制御回路図。
【図６】本発明による開閉器の操作装置の第３の実施の形態を示し、（ａ）は制御回路図、（ｂ）は操作機構の構成図。
【図７】本発明による開閉器の操作装置の第４の実施の形態を示し、（ａ）は制御回路図、（ｂ）は操作機構の構成図。
【図８】従来の３位置開閉器の操作装置を示す制御回路図。
【図９】同３位置開閉器の操作装置を示す構成図。
【図１０】従来の３位置開閉器の操作装置の電動による入操作の途中の状態を示し、（ａ）は操作機構の構成図、（ｂ）は制御回路図。
【図１１】従来の３位置開閉器の操作装置の電動による切操作の途中の状態を示し、（ａ）は操作機構の構成図、（ｂ）は制御回路図。
【符号の説明】
1…電動機
１３…操作軸
１４…ウォームギヤ
１５…主軸
１６…ウォームホイール
１７…突起物
１７Ｄ…保持部
１８…キャッチ軸
１９…キャッチレバー
２０…ラッチピン
２１，２２…ねじりばね
２３…ストッパブロック
２４…ラッチレバー
２５…トリップコイル
２６…プランジャ
２７…ラッチピン連動リミットスイッチ
２８…手動操作軸
２８ｃ…動力伝達手段
２９…入切終了指令リミットスイッチ用カム
３０…入終了指令リミットスイッチ
３１…切終了指令リミットスイッチ
３２…入操作リレーコイル
３３…切操作リレーコイル
３４…入操作リレー接点
３５…切操作リレー接点
３６…トリップコイル制御用リレー
３７…トリップコイル制御用リレー接点
３８…モータ正方向回転用リレー
３９…モータ逆方向回転用リレー
４０…モータ正方向回転用リレー接点
４１…モータ逆方向回転用リレー接点
４２…手動操作軸
４３…リレー
７６…シャッター板
７７…シャッター連動リミットスイッチ
８２…シャッター板ストッパー
８３…シャッター板復帰ばね
８４…インターロックコイル
【図１】
0004146125.tif 000002
【図２】
0004146125.tif 000003
【図３】
0004146125.tif 000004
【図４】
0004146125.tif 000005
【図５】
0004146125.tif 000006
【図６】
0004146125.tif 000007
【図７】
0004146125.tif 000008
【図８】
0004146125.tif 000009
【図９】
0004146125.tif 000010
【図１０】
0004146125.tif 000011
【図１１】
0004146125.tif 000012